(57)【要約】【課題】湿度センサによって安定的に処理槽内の基材の含水率を測定することができ、湿度センサが排気物からのガス等によって劣化することを防止することが可能となる廃棄物処理装置を提供する。【解決手段】処理槽内の廃棄物を微生物により化学的に分解処理する廃棄物処理装置において、前記処理槽内の湿度を測定する湿度センサを前記処理槽内の環境から隔離する隔離手段を有する。【選択図】　　　　　　図１
2004141751.tif 000002
【特許請求の範囲】
【請求項１】
処理槽内の廃棄物を微生物により化学的に分解処理する廃棄物処理装置において、前記処理槽内の湿度を測定する湿度センサを前記処理槽内の環境から隔離する隔離手段を有することを特徴とする廃棄物処理装置。
【発明の詳細な説明】
【０００１】
【発明の属する技術分野】
本発明は、処理槽内の廃棄物を微生物により化学的に分解処理する廃棄物処理装置に関し、特に処理槽内の基材（おがくずなどに微生物を培養するようにしたもの）の含水率を検出する湿度センサを有する廃棄物処理装置に関するものである。
【０００２】
【従来の技術】
従来、廃棄物処理装置として、廃棄物を化学的に分解してその分量を減少させる方式の廃棄物処理装置がある。その分解に好気性の微生物を用いるものとして、基材と呼ばれる、おがくずなどに微生物を培養したものと、廃棄物を混合し、攪拌して、微生物に廃棄物の大部分を水と炭酸ガスに分解させるものがある（例えば、特許文献１、特許文献２参照）。これらの方式では、温度と水分は最適値があり、これに保つことによって廃棄物の微生物による分解速度を最大にして効率的な廃棄物処理を可能としていた。
【０００３】
【特許文献１】特開２００２−１９２１２７号公報
【特許文献２】特開２００２−１９２１３３号公報
【０００４】
【発明が解決しようとする課題】
しかしながら、上記従来の廃棄物処理の方式においては、上記した温度の制御は容易であるが、水分の制御はそれを検出する手段が難しく、安定した信頼性のある方法がなかった。従来におけるこの水分の検出方法は、特許文献１のように電気抵抗を用いたり、あるいは光、熱、音、電波などによるもの、等が考えられてきたが、様々な廃棄物の状態、密度または分量により構成することが必要だったり、電気抵抗などの接触式のものはごみのこびりつきなどで誤動作するなど、安定して使用できるものはなかった。
【０００５】
このようなことから、湿度センサによって測定された処理槽内の湿度から基材の含水率を推定することで、安定的に基材含水率を推定する方式が考えられる。このような方式としては、例えば図４のように構成することができる。図４において、１は基本材と廃棄物をいれる処理槽、２は外気を処理槽１に導入する吸気管、３は処理槽内のガスを外部に排気する排気管、４は基材と廃棄物を攪拌する攪拌羽根、５は攪拌羽根駆動装置、６は排気ファン、７は処理槽温度制御装置、８は廃棄物と基材、９は湿度センサである。図に示していないが、湿度センサは排気管３内に設置することもできる。
【０００６】
しかしながら、上記した温度の制御に際しては、温度センサは必ずしも処理槽内の環境に直接に晒される個所に設置することが必要はないのに対して、この処理槽内の湿度を測定する方式の場合には、湿度センサを処理槽内の環境に直接に晒される個所に設置することが必要となる。このため、処理槽内の湿度を測定する方式では、湿度センサが排気物からのガス等により劣化して寿命が短期化するという問題が生じる。
【０００７】
そこで、本発明は、上記課題を解決し、湿度センサによって安定的に処理槽内の基材の含水率を測定することができ、湿度センサが排気物からのガス等によって劣化することを防止することが可能となる廃棄物処理装置を提供することを目的とするものである。
【０００８】
【課題を解決するための手段】
本発明の廃棄物処理装置は、処理槽内の廃棄物を微生物により化学的に分解処理する廃棄物処理装置において、前記処理槽内の湿度を測定する湿度センサを前記処理槽内の環境から隔離する隔離手段を有することを特徴としている。前記湿度センサは、前記処理槽内または該処理槽内のガスを排気する排気手段の内部に設けるように構成することができる。
また、本発明の廃棄物処理装置における前記隔離手段は、前記処理槽内の湿度の非測定時に前記湿度センサを処理槽内の環境から退避させる退避機構で構成することができ、あるいは湿度センサを被覆する被覆手段で構成することもできる。
また、本発明の廃棄物処理装置においては、前記退避機構は、前記湿度センサを第１の遮断板と第２の遮断板の間に取り付け、該湿度センサを前記湿度を測定するため処理槽内の環境内に挿入した時には前記第１の遮断板によって該処理槽内のガスの外部流出を遮断し、前記環境からの退避時には前記第２の遮断板によって該処理槽内のガスの外部流出を遮断するように構成することができる。そして、前記第１の遮断板と第２の遮断板の間に取り付けられた湿度センサは、ソレノイドで駆動するように構成することができ、その際、前記ソレノイドの駆動が、伝達部材を介して拡大されるように構成し、あるいはこの伝達部材を、支点を中心に回転動作する部材で構成するようにしてもよい。
【０００９】
【発明の実施の形態】
上記構成を適用することにより、例えば湿度センサの退避機構を、処理層に対してより遠い側に配した第１の遮断板と、処理層に対してより近い側に配した第２の遮断板の２枚の遮蔽板で挟み込むようにして処理槽に設置し、該湿度センサで処理槽内の湿度を測定する時には、この湿度センサをソレノイドで駆動して処理槽内に入れると共に、第１の遮断板で処理槽の開口部を密閉して処理槽内のガスが外部に漏れないようにする。また、処理槽内の湿度を測定しない時には、この湿度センサをソレノイドで駆動して処理槽の外部に退避させると共に、第２の遮断板で処理槽の開口部を密閉して処理槽内のガスが外部に漏れないようにする。
この構成によれば、湿度センサによって安定的に処理槽内の基材の含水率を測定するに際して、湿度センサを測定時だけ処理槽１内に入れるだけで、常に入れておく必要がなく、これにより湿度センサの寿命を延ばすことが可能となる。また、動作も簡単で部品数もすくなく、コストのかからない廃棄物処理装置を提供することができる。
【００１０】
【実施例】
以下に、本発明の実施例について説明する。
［実施例１］
図１は、本発明の実施例１の廃棄物処理装置における退避機構の断面である。図１において、１は処理槽、９は湿度センサ、１０は第１の遮断板、１１は第２の遮断板であり、湿度センサ９はこれらの遮断板の間に取り付けられている。
２つの遮断板１０、１１は遮断板保持部材１７により連結されソレノイド１５に接続されている。ソレノイド１５は電磁力で動作する駆動元である。このソレノイド１５により図１の矢印で示す方向に遮断板保持部材１７が動き、第１の遮断板１０、または第２の遮断版１１の一方が処理槽１の開口部に密着するように構成されている。
【００１１】
処理槽１内の湿度を測定しない時には、ソレノイド１５を駆動させ、湿度センサ９を処理槽１の外に退避させ、遮断板１０を処理槽１に密着させて、処理槽１内のガスが外部に漏れないようにする。
また、処理槽１内の湿度を測定する時には、ソレノイド１５を駆動させ、湿度センサ９を処理槽１の中に入れ、遮断板１１を処理槽１に密着させ、処理槽１内のガスが外部に漏れないようにする。
このように、本実施例の構成によれば、ソレノイド１５による簡単な制御により、湿度センサを測定時だけ処理槽１内に入れ、また測定しない時には外に出すことができる。
【００１２】
［実施例２］
本発明の実施例２の廃棄物処理装置における退避機構の構成を図２に示す。実施例１ではソレノイド１５と保持部材１７は直結されている。そのためソレノイド１５の動作のストロークしか遮断板保持部材１７は動かせない。これを改良したのが本実施例である。
図２において、遮断板保持部材１２とソレノイド１５は伝達部材１３と支持部材１４で変速されるように構成されている。この構成によれば、ソレノイドの動作ストロークが小さくても、遮断板保持部材１２を大きく動かすことができる。
【００１３】
［実施例３］
本発明の実施例３の廃棄物処理装置における退避機構の構成を図３に示す。図３において、遮断板保持部材１８とソレノイド１５は支点２１を中心の回転する伝達部材１９で変速されている。このようにすることでより安定、ローコスト、簡単な構成を実現することが可能となる。
実施例１、実施例２のような可動部材である遮断板保持部材１７あるいは１２の構成の場合には、平行移動させなければならず、そのため実施例では示していないが、そのガイド構成が複雑となる。これに対して、本実施例の構成によるとそのような問題はなく、また湿度センサ９を排気管３内に設置したい場合等にも、上記した構成を排気管３に容易に適用することが可能となる。
【００１４】
【発明の効果】
本発明の湿度センサ退避機構によれば湿度センサを常に処理槽内に入れておかないのでセンサの寿命を延ばすことができるという効果がある。しかも動作は簡単で、部品数も少なく低コスト化を図ることができる。
【図面の簡単な説明】
【図１】本発明の実施例１の廃棄物処理装置における退避機構の断面である。
【図２】本発明の実施例２の廃棄物処理装置における退避機構の断面である。
【図３】本発明の実施例３の廃棄物処理装置における退避機構の断面である。
【図４】本発明の課題を説明するための図である。
【符号の説明】
１：処理槽
２：吸気管
３：排気管
４：攪拌羽根
５：攪拌羽根駆動装置
６：排気ファン
７：処理槽温度制御装置
８：廃棄物と基材
９：湿度センサ
１０：遮断板ａ
１１：遮断板ｂ
１２：遮断板保持部材
１３：伝達部材
１４：支持部材
１５：ソレノイド
１６：支持部材
１７：遮断板保持部材
１８：遮断板保持部材
１９：伝達部材
２０：支持部材
２１：支点
【図１】
2004141751.tif 000003
【図２】
2004141751.tif 000004
【図３】
2004141751.tif 000005
【図４】
2004141751.tif 000006